【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
被写体を撮像する撮像装置であって、
前記撮像された被写体の映像表示あるいは全白表示を行う表示手段と、
前記表示手段を全白表示のビデオライトとして使用するためのビデオライトモードを選択する選択手段と、
前記ビデオライトモードが選択されている時、特定の状況が発生した場合、前記ビデオライトモードを解除して前記表示手段による全白表示を終了させる表示制御手段とを備えたことを特徴とする撮像装置。
【請求項２】
被写体を撮像する撮像装置であって、
前記撮像された被写体の映像表示あるいは全白表示を行う表示手段と、
前記表示手段の開閉状態を検出する開閉検出手段と、
前記表示手段を全白表示のビデオライトとして使用するためのビデオライトモードを選択する選択手段と、
前記ビデオライトモードが選択されている時、前記開閉検出手段によって前記表示手段が開状態であることが検出された場合、前記表示手段を全白表示に切り替え、一方、前記表示手段が閉状態であることが検出された場合、前記ビデオライトモードを解除して前記表示手段による全白表示を終了させる表示制御手段とを備えたことを特徴とする撮像装置。
【請求項３】
前記表示手段が前記被写体側あるいは撮影者側に向いたことを検出する方向検出手段を備え、
前記表示制御手段は、前記ビデオライトモードが選択されている時、前記方向検出手段によって前記表示手段が前記撮影者側に向いていることが検出され、かつ前記開閉検出手段によって前記表示手段が閉状態であることが検出された場合、前記ビデオライトモードを解除して前記表示手段による全白表示を終了させることを特徴とする請求項２記載の撮像装置。
【請求項４】
被写体を撮像する撮像装置であって、
前記撮像された被写体の映像表示あるいは全白表示を行う表示手段と、
前記撮像装置に対してキー操作が行われたことを検出する操作検出手段と、
最後に前記キー操作が行われたことが検出されてからの時間を計時する計時手段と、
前記表示手段を全白表示のビデオライトとして使用するためのビデオライトモードを選択する選択手段と、
前記ビデオライトモードが選択されている時、前記表示手段を全白表示に切り替え、一方、前記計時手段によって計時された時間が所定時間を経過した場合、前記ビデオライトモードを解除して前記表示手段による全白表示を終了させる表示制御手段とを備えたことを特徴とする撮像装置。
【請求項５】
被写体を撮像する撮像装置であって、
前記撮像された被写体の映像表示あるいは全白表示を行う表示手段と、
前記撮像装置に着脱自在に設けられ、前記撮像された映像が記録される記録媒体と、
前記記録媒体を外部に取り出すための取出し操作が行われたことを検出する取出検出手段と、
前記表示手段を全白表示のビデオライトとして使用するためのビデオライトモードを選択する選択手段と、
前記ビデオライトモードが選択されている時、前記表示手段を全白表示に切り替え、一方、前記取出し操作が行われたことが検出された場合、前記ビデオライトモードを解除して前記表示手段による全白表示を終了させる表示制御手段とを備えたことを特徴とする撮
像装置。
【請求項６】
被写体を撮像する撮像装置であって、
前記撮像された被写体の映像表示あるいは全白表示を行う表示手段と、
前記撮像装置に設けられ、前記撮像された映像が記録される記録媒体と、
前記記録媒体の残容量を検出する残容量検出手段と、
前記表示手段を全白表示のビデオライトとして使用するためのビデオライトモードを選択する選択手段と、
前記ビデオライトモードが選択されている時、前記表示手段を全白表示に切り替え、一方、前記残容量検出手段によって前記記録媒体の残容量が閾値以下となった場合、前記ビデオライトモードを解除して前記表示手段による全白表示を終了させる表示制御手段とを備えたことを特徴とする撮像装置。
【請求項７】
被写体を撮像する撮像装置であって、
前記撮像された被写体の映像表示あるいは全白表示を行う表示手段と、
前記表示手段を全白表示のビデオライトとして使用するためのビデオライトモードを選択する選択手段と、
前記ビデオライトモードが選択されている時、前記表示手段を全白表示に切り替える表示制御手段と、
前記切り替えられた全白表示に前記ビデオライトモードの解除方法を示す内容を重畳する重畳手段とを備え、
前記表示制御手段は、前記重畳されたビデオライトモードの解除方法を示す内容に従って、所定の操作が行われた場合、前記ビデオライトモードを解除して前記表示手段による全白表示を終了させることを特徴とする撮像装置。
【請求項８】
被写体を撮像する撮像装置であって、
前記撮像された被写体の映像表示あるいは全白表示を行う表示手段と、
前記撮像された映像を再生するレックレビュー再生手段と、
前記表示手段を全白表示のビデオライトとして使用するためのビデオライトモードを選択する選択手段と、
前記ビデオライトモードが選択されている時、前記表示手段を全白表示に切り替え、一方、前記レックレビュー再生手段によってレックレビューが開始された場合、前記ビデオライトモードを解除して前記表示手段による全白表示を終了させ、その後、前記レックレビュー再生手段による映像の再生が終了した場合、前記ビデオライトモードに復帰して前記表示手段による全白表示を再開させる表示制御手段とを備えたことを特徴とする撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、被写体を撮像する撮像装置に関する。
【手続補正４】
【補正対象書類名】明細書
【補正対象項目名】０００６
【補正方法】変更
【補正の内容】
【０００６】
上記目的を達成するために、本発明の撮像装置は、被写体を撮像する撮像装置であって、前記撮像された被写体の映像表示あるいは全白表示を行う表示手段と、前記表示手段を全白表示のビデオライトとして使用するためのビデオライトモードを選択する選択手段と、前記ビデオライトモードが選択されている時、特定の状況が発生した場合、前記ビデオライトモードを解除して前記表示手段による全白表示を終了させる表示制御手段とを備えたことを特徴とする。
【手続補正５】
【補正対象書類名】明細書
【補正対象項目名】０００７
【補正方法】変更
【補正の内容】
【０００７】
本発明の撮像装置は、被写体を撮像する撮像装置であって、前記撮像された被写体の映像表示あるいは全白表示を行う表示手段と、前記表示手段の開閉状態を検出する開閉検出手段と、前記表示手段を全白表示のビデオライトとして使用するためのビデオライトモードを選択する選択手段と、前記ビデオライトモードが選択されている時、前記開閉検出手段によって前記表示手段が開状態であることが検出された場合、前記表示手段を全白表示に切り替え、一方、前記表示手段が閉状態であることが検出された場合、前記ビデオライトモードを解除して前記表示手段による全白表示を終了させる表示制御手段とを備えたことを特徴とする。
【手続補正６】
【補正対象書類名】明細書
【補正対象項目名】０００８
【補正方法】変更
【補正の内容】
【０００８】
本発明の撮像装置は、被写体を撮像する撮像装置であって、前記撮像された被写体の映像表示あるいは全白表示を行う表示手段と、前記撮像装置に対してキー操作が行われたことを検出する操作検出手段と、最後に前記キー操作が行われたことが検出されてからの時間を計時する計時手段と、前記表示手段を全白表示のビデオライトとして使用するためのビデオライトモードを選択する選択手段と、前記ビデオライトモードが選択されている時、前記表示手段を全白表示に切り替え、一方、前記計時手段によって計時された時間が所定時間を経過した場合、前記ビデオライトモードを解除して前記表示手段による全白表示を終了させる表示制御手段とを備えたことを特徴とする。
【手続補正７】
【補正対象書類名】明細書
【補正対象項目名】０００９
【補正方法】変更
【補正の内容】
【０００９】
本発明の撮像装置は、被写体を撮像する撮像装置であって、前記撮像された被写体の映像表示あるいは全白表示を行う表示手段と、前記撮像装置に着脱自在に設けられ、前記撮像された映像が記録される記録媒体と、前記記録媒体を外部に取り出すための取出し操作が行われたことを検出する取出検出手段と、前記表示手段を全白表示のビデオライトとして使用するためのビデオライトモードを選択する選択手段と、前記ビデオライトモードが選択されている時、前記表示手段を全白表示に切り替え、一方、前記取出し操作が行われたことが検出された場合、前記ビデオライトモードを解除して前記表示手段による全白表示を終了させる表示制御手段とを備えたことを特徴とする。
【手続補正８】
【補正対象書類名】明細書
【補正対象項目名】００１０
【補正方法】変更
【補正の内容】
【００１０】
本発明の撮像装置は、被写体を撮像する撮像装置であって、前記撮像された被写体の映像表示あるいは全白表示を行う表示手段と、前記撮像装置に設けられ、前記撮像された映像が記録される記録媒体と、前記記録媒体の残容量を検出する残容量検出手段と、前記表示手段を全白表示のビデオライトとして使用するためのビデオライトモードを選択する選択手段と、前記ビデオライトモードが選択されている時、前記表示手段を全白表示に切り替え、一方、前記残容量検出手段によって前記記録媒体の残容量が閾値以下となった場合、前記ビデオライトモードを解除して前記表示手段による全白表示を終了させる表示制御手段とを備えたことを特徴とする。
【手続補正９】
【補正対象書類名】明細書
【補正対象項目名】００１１
【補正方法】変更
【補正の内容】
【００１１】
本発明の撮像装置は、被写体を撮像する撮像装置であって、前記撮像された被写体の映像表示あるいは全白表示を行う表示手段と、前記表示手段を全白表示のビデオライトとして使用するためのビデオライトモードを選択する選択手段と、前記ビデオライトモードが選択されている時、前記表示手段を全白表示に切り替える表示制御手段と、前記切り替えられた全白表示に前記ビデオライトモードの解除方法を示す内容を重畳する重畳手段と、前記重畳されたビデオライトモードの解除方法を示す内容に従って、所定の操作が行われた場合、前記ビデオライトモードを解除して前記表示手段による全白表示を終了させる表示制御手段とを備えたことを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
本発明の撮像装置は、被写体を撮像する撮像装置であって、前記撮像された被写体の映像表示あるいは全白表示を行う表示手段と、前記撮像された映像を再生するレックレビュー再生手段と、前記表示手段を全白表示のビデオライトとして使用するためのビデオライトモードを選択する選択手段と、前記ビデオライトモードが選択されている時、前記表示手段を全白表示に切り替え、一方、前記レックレビュー再生手段によってレックレビューが開始された場合、前記ビデオライトモードを解除して前記表示手段による全白表示を終了させ、その後、前記レックレビュー再生手段による映像再生が終了した場合、前記ビデオライトモードに復帰して前記表示手段による全白表示を再開させる表示制御手段とを備えたことを特徴とする。
【手続補正１８】
【補正対象書類名】明細書
【補正対象項目名】００２０
【補正方法】削除
【補正の内容】
【手続補正１９】
【補正対象書類名】明細書
【補正対象項目名】００２８
【補正方法】変更
【補正の内容】
【００２８】
また、請求項８に係る撮像装置によれば、ビデオライトモードで全白表示が行われている表示手段による表示を、撮影した映像の再生に簡単に切り替えることができ、撮影した映像の確認が容易となる。
【手続補正２０】
【補正対象書類名】明細書
【補正対象項目名】００２９
【補正方法】変更
【補正の内容】
【００２９】
本発明の撮像装置の実施の形態について図面を参照しながら説明する。本実施形態の撮像装置はビデオカメラに適用される。